(57)【要約】【課題】嵌合溝を設けて管体の強度を高めるスーツケースのドローバーを提供する。【解決手段】スーツケースのドローバー２０は、ハンドル２１を備える。ハンドル２１の両側縁には、内管群３０がそれぞれ設けられる。内管群３０は、スーツケース内に取り付けられた中空状の外管群中に嵌設される。内管群３０は、内管３１及び装飾片３２を含む。内管３１は、中空管体であるとともに、内管３１上には、管外から管内にかけて嵌合溝３１１が凹設される。装飾片３２は、シート状であるとともに、内管の各嵌合溝３１１中に挿設可能であり、必要に応じて異なる色系で形成される。内管３１の両側上には、管外から管内にかけて嵌合溝３１１が凹設されている。嵌合溝３１１の両側には、位置決め構３１２が形成される。装飾片３２の両側には、嵌合バー３２１がそれぞれ成形される。嵌合バー３２１は、嵌合溝３１１の位置決め構３１２内に嵌設される。【選択図】図５
0003222241.tif 000002
【実用新案登録請求の範囲】
【請求項１】
ハンドルを備えるスーツケースのドローバーであって、
前記ハンドルの両側縁には、内管群がそれぞれ設けられ、
前記内管群は、スーツケース内に取り付けられた中空状の外管群中に嵌設され、
前記内管群は、内管及び装飾片を含み、
前記内管は、中空管体であるとともに、前記内管上には、管外から管内にかけて嵌合溝が凹設され、
前記装飾片は、シート状であるとともに、前記内管の各前記嵌合溝中に挿設可能であり、必要に応じて異なる色系で形成されることを特徴とするスーツケースのドローバー。
【請求項２】
前記内管の両側には、管外から管内にかけて前記嵌合溝が凹設されていることを特徴とする請求項１に記載のスーツケースのドローバー。
【請求項３】
前記嵌合溝の両側には、位置決め構が形成され、
前記装飾片の両側には、嵌合バーがそれぞれ成形され、
前記嵌合バーは、前記嵌合溝の前記位置決め構内に嵌設されることを特徴とする請求項１に記載のスーツケースのドローバー。
【請求項４】
前記装飾片は、前記内管と相対する色系で形成されることを特徴とする請求項１に記載のスーツケースのドローバー。
【請求項５】
前記装飾片は、前記内管と対比する色系又は異なる色系で形成されることを特徴とする請求項１に記載のスーツケースのドローバー。
【請求項６】
前記装飾片は帯状リフレクターであることを特徴とする請求項１に記載のスーツケースのドローバー。
【請求項７】
前記装飾片は帯状ＬＥＤランプであることを特徴とする請求項１に記載のスーツケースのドローバー。
【請求項８】
前記外管群は、中空管体の外管上に、管外から管内にかけて凹設された嵌合溝を有し、
前記嵌合溝には、シート状の前記装飾片が挿設され、
前記装飾片は、必要に応じて異なる色系で形成されることを特徴とする請求項１に記載のスーツケースのドローバー。
【請求項９】
前記外管の両側上には、管外から管内にかけて嵌合溝が凹設されることを特徴とする請求項８に記載のスーツケースのドローバー。
【考案の詳細な説明】
【技術分野】
【０００１】
本考案は、スーツケースのドローバーに関するものである。
【背景技術】
【０００２】
図１及び図２に示すように、従来のハンドルが伸縮可能なスーツケースのドローバー１０は、ハンドル１１の両側縁に内管１２がそれぞれ設けられている。内管１２は、スーツケース１３内に装着された中空状外管（図示せず）中に嵌設される。内管１２は、中空状外管内で上下に移動させて位置決めし、内管１２を外管内で移動させてドローバー１０の全長を延ばすことができたが、従来のドローバー１０には軽量化が求められていたため、図３に示すように、中空状の内管１２の管壁厚さが相対的に薄くなり、また、内管１２を外側に引き出し、内管１２と外管との間の重ね面積が小さく、内管１２がドローバー１０の重量により、又は引っ張られて衝撃を受けて内管１２が変形してしまうことがあった。
【考案の概要】
【考案が解決しようとする課題】
【０００３】
従って、本考案の主な課題は、管体の強度を高めるスーツケースのドローバーを提供することにある。
【課題を解決するための手段】
【０００４】
そこで、本考案者は、本考案の前記課題を解決するため鋭意検討を重ねた結果、管体の強度を高めるため、嵌合溝を設けることにより前記課題を解決できる点に着目し、本考案に想到するに至った。
【０００５】
かくして、本考案の要旨は、次の（１）〜（９）に記載の通りのものである。
（１）ハンドルを備えるスーツケースのドローバーであって、
前記ハンドルの両側縁には、内管群がそれぞれ設けられ、
前記内管群は、スーツケース内に取り付けられた中空状の外管群中に嵌設され、
前記内管群は、内管及び装飾片を含み、
前記内管は、中空管体であるとともに、前記内管上には、管外から管内にかけて嵌合溝が凹設され、
前記装飾片は、シート状であるとともに、前記内管の各前記嵌合溝中に挿設可能であり、必要に応じて異なる色系で形成されることを特徴とするスーツケースのドローバー。
（２）前記内管の両側には、管外から管内にかけて前記嵌合溝が凹設されていることを特徴とする前記（１）に記載のスーツケースのドローバー。
（３）前記嵌合溝の両側には、位置決め構が形成され、
前記装飾片の両側には、嵌合バーがそれぞれ成形され、
前記嵌合バーは、前記嵌合溝の前記位置決め構内に嵌設されることを特徴とする前記（１）に記載のスーツケースのドローバー。
（４）前記装飾片は、前記内管と相対する色系で形成されることを特徴とする前記（１）に記載のスーツケースのドローバー。
（５）前記装飾片は、前記内管と対比する色系又は異なる色系で形成されることを特徴とする前記（１）に記載のスーツケースのドローバー。
（６）前記装飾片は帯状リフレクターであることを特徴とする前記（１）に記載のスーツケースのドローバー。
（７）前記装飾片は帯状ＬＥＤランプであることを特徴とする前記（１）に記載のスーツケースのドローバー。
（８）前記外管群は、中空管体の外管上に、管外から管内にかけて凹設された嵌合溝を有し、前記嵌合溝には、シート状の前記装飾片が挿設され、
前記装飾片は、必要に応じて異なる色系で形成されることを特徴とする前記（１）に記載のスーツケースのドローバー。
（９）前記外管の両側には、管外から管内にかけて嵌合溝が凹設されることを特徴とする前記（８）に記載のスーツケースのドローバー。
【考案の効果】
【０００６】
本考案は、前記の通りの構成からなるものであり、後述のように、菅外から菅内にかけて嵌合溝が凹設され、内菅の強度を向上させることができる。
【図面の簡単な説明】
【０００７】
【図１】図１は、従来のドローバー及びスーツケースを示す斜視図である。
【図２】図２は、従来のドローバーを示す分解斜視図である。
【図３】図３は、従来のドローバーの内管を示す断面図である。
【図４】図４は、本考案の一実施形態に係るスーツケースのドローバーを示す斜視図である。
【図５】図５は、本考案の一実施形態に係るスーツケースのドローバーを示す分解斜視図である。
【図６】図６は、本考案の一実施形態に係るスーツケースのドローバーの内管を示す断面図である。
【図７】図７は、本考案の一実施形態に係る装飾片を示す断面図である。
【図８】図８は、本考案の一実施形態に係る内管及び装飾片を示す組立断面図である。
【図９】図９は、本考案の一実施形態に係るスーツケースのドローバーを示す分解斜視図である。
【図１０】図１０は、本考案の一実施形態に係るスーツケースのドローバーを示す組立断面図である。
【考案を実施するための形態】
【０００８】
以下、図面により本考案を具体的に説明する。もっとも本考案は、かかる図案等により限定されるものではない。
図４〜図８を参照する。図４〜図８に示すように、本考案の一実施形態に係るスーツケースのドローバー２０は、ハンドル２１を備える。ハンドル２１の両側縁には、内管群３０がそれぞれ設けられる。内管群３０は、スーツケース内の中空状外管群（図示せず）中に嵌設される。内管群３０は、内管３１及び装飾片３２を含む。
【０００９】
内管３１は、中空管体であるとともに、内管３１の両側上には、管外から管内にかけて嵌合溝３１１が凹設されている。嵌合溝３１１の両側には、位置決め構３１２が形成されている。
【００１０】
装飾片３２はシート状であるとともに、内管３１の各嵌合溝３１１中に装飾片３２が挿設可能である。装飾片３２の両側には、嵌合バー３２１がそれぞれ成形される。嵌合バー３２１は、嵌合溝３１１の位置決め構３１２内に嵌設される。装飾片３２は、必要に応じて異なる色系で形成し、内管３１と相対する色系、対比する色系又は異なる色系で形成されてもよい。
【００１１】
装飾片３２を内管３１の嵌合溝３１１内に挿入すると、装飾片３２の嵌合バー３２１が、嵌合溝３１１の位置決め構３１２に嵌合されて位置決めされ、内管３１の頂端にハンドル２１が嵌設され、リベットでカシメ固定する。
【００１２】
上述したことから分かるように、本考案のスーツケースのドローバーは、以下（１）〜（４）の長所を有する。
【００１３】
（１）内管３１は中空管体であり、内管３１の両側上には管外から管内にかけて嵌合溝３１１がそれぞれ凹設され、内管３１は、非単純の中心管体であり、その管体の断面積を増やし、耐衝撃力を高め、内管３１の強度を高めることができる。
【００１４】
（２）装飾片３２を内管３１の嵌合溝３１１内に挿入し、装飾片３２は、必要に応じて異なる色系に形成することができ、内管３１と相対する色系、対比する色系又は異なる色系に形成してもよい。このように、内管３１と装飾片３２とを様々な色の組み合わせで選択することができる。
【００１５】
（３）装飾片３２を帯状リフレクターにすると、空が暗いとき又は夜間のときにスーツケースを引っ張るときに目立ち、安全に歩くことができる。
【００１６】
（４）装飾片３２を帯状ＬＥＤランプにすると、空が暗いとき又は夜間のときにスーツケースを引っ張るときに目立ち、安全に歩くことができるとともに、単調なスーツケースに見た目が派手な装飾を施すことができる。
【００１７】
図９及び図１０を参照する。図９及び図１０に示すように、本考案の一実施形態に係るスーツケースのドローバー２０は、ハンドル２１の両側縁に内管群３０がそれぞれ設けられる。内管群３０は、スーツケース内に装着した中空状の外管群４０中に嵌設される。外管群４０の外管４１は中空管体であり、外管４１の両側上には、管外から管内にかけて嵌合溝４１１が凹設される。嵌合溝４１１の両側には、位置決め構４１２が形成される。嵌合溝４１１には、装飾片４２が嵌設され、装飾片４２の両側には、嵌合バー４２１がそれぞれ形成される。
【符号の説明】
【００１８】
１０  ドローバー
１１  ハンドル
１２  内管
１３  スーツケース
２０  ドローバー
２１  ハンドル
３０  内管群
３１  内管
３２  装飾片
４０  外管群
４１  外管
４２  装飾片
３１１  嵌合溝
３１２  位置決め構
３２１  嵌合バー
４１１  嵌合溝
４１２  位置決め構
４２１  嵌合バー
【図１】
0003222241.tif 000003
【図２】
0003222241.tif 000004
【図３】
0003222241.tif 000005
【図４】
0003222241.tif 000006
【図５】
0003222241.tif 000007
【図６】
0003222241.tif 000008
【図７】
0003222241.tif 000009
【図８】
0003222241.tif 000010
【図９】
0003222241.tif 000011
【図１０】
0003222241.tif 000012